(57)【特許請求の範囲】
【請求項１】
ＨＤＭＩ規格に対応する第１信号伝送手段と、前記ＨＤＭＩ規格とは異なる他の規格に対応する第２信号伝送手段と、記憶装置と、を備える中継装置であって、
所定の画像を出力可能な画像出力部と、
前記第１信号伝送手段及び前記記憶装置間を結ぶ信号路と、前記第１信号伝送手段及び前記画像出力部間を結ぶ信号路と、前記第１信号伝送手段及び前記第２信号伝送手段間を結ぶ信号路と、を相互に切り換え可能なスイッチ部と、
前記スイッチ部を制御する制御部と、
当該中継装置が前記第１信号伝送手段を介して出力装置と相互に接続された場合に、当該中継装置に係るＣＥＣ（Ｃｏｎｓｕｍｅｒ  Ｅｌｅｃｔｒｏｎｉｃｓ  Ｃｏｎｔｒｏｌ）アドレスである第１ＣＥＣアドレスを取得する取得部と、
を備え、
前記制御部は、前記出力装置から出力された前記第１ＣＥＣアドレスと再生コマンドとを受信した場合に、前記第１信号伝送手段及び前記記憶装置間を結ぶ信号路を選択するように前記スイッチ部を制御し、
前記取得部は、当該中継装置が前記第２信号伝送手段を介して前記他の規格に対応する機器と接続された場合に、前記機器に係るＣＥＣアドレスである第２ＣＥＣアドレスを取得し、
前記制御部は、前記機器が映像出力状態になると、前記第１信号伝送手段及び前記第２信号伝送手段間を結ぶ信号路を選択するように前記スイッチ部を制御し、前記機器が待機状態になると、前記第１信号伝送手段及び前記画像出力部間を結ぶ信号路を選択するように前記スイッチ部を制御して、前記機器が待機状態であることを示すアイコンを前記出力装置に出力させ、
前記制御部は、前記アイコンが選択された場合に、前記出力装置から前記アイコンが選択されたことを示す信号を受信して、前記第１信号伝送手段及び前記第２信号伝送手段間を結ぶ信号路を選択するように前記スイッチ部を制御する
ことを特徴とする中継装置。
【請求項２】
前記出力装置から出力された前記第２ＣＥＣアドレスとコマンドとが受信された場合に、前記受信されたコマンドが前記他の規格に対応するように前記受信されたコマンドを変換する変換手段を更に備えることを特徴とする請求項１に記載の中継装置。
【請求項３】
前記機器が待機状態であり、且つ、前記出力装置から出力された前記第２ＣＥＣアドレスとコマンドとが受信された場合に、前記機器を起動状態とする起動手段を更に備えることを特徴とする請求項１に記載の中継装置。
【請求項４】
前記スイッチ部により前記第１信号伝送手段及び前記画像出力部間を結ぶ信号路が選択されている場合、前記画像出力部は、前記機器の状態に応じて、前記出力装置の表示部に表示されるアイコンを変更することを特徴とする請求項１に記載の中継装置。
【発明の詳細な説明】
【技術分野】
【０００１】
本発明は、例えば液晶ディスプレイ等の表示装置と、例えば再生装置や記録装置と、の間に介在し、例えば映像や音声等に係るデジタル信号を中継する中継装置の技術分野に関する。
【背景技術】
【０００２】
この種の装置として、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に対応し、ＨＤＭＩケーブルを接続可能なＨＤＭＩ端子を備える機器に対して、ＨＤＭＩ規格のＣＥＣ（Ｃｏｎｓｕｍｅｒ  Ｅｌｅｃｔｒｏｎｉｃｓ  Ｃｏｎｔｒｏｌ）に準拠する制御コマンドを、ＨＤＭＩ端子を介して上記機器へ送信することによって、該機器が備えるＨＤＭＩ端子と、ＨＤＭＩ規格非対応の端子とを相互に切り換えるスイッチの切換制御を行う装置が提案されている（特許文献１参照）。
【先行技術文献】
【特許文献】
【０００３】
【特許文献１】特開２０１１−２１７１２６号公報
【発明の概要】
【発明が解決しようとする課題】
【０００４】
この種の装置に、例えば再生装置が接続されている場合に、該再生装置が待機状態となると、例えば液晶ディスプレイ等の表示装置には何らの信号も送信されなくなる（無信号状態となる）という技術的問題点がある。【０００５】
本発明は、例えば上記問題点に鑑みてなされたものであり、中継装置に接続された、例えば再生装置等の機器が待機状態となった場合であっても、無信号状態となることを防止することができる中継装置を提供することを課題とする。
【課題を解決するための手段】
【０００６】
本発明の中継装置は、上記課題を解決するために、ＨＤＭＩ規格に対応する第１信号伝送手段と、前記ＨＤＭＩ規格とは異なる他の規格に対応する第２信号伝送手段と、記憶装置と、を備える中継装置であって、所定の画像を出力可能な画像出力部と、前記第１信号伝送手段及び前記記憶装置間を結ぶ信号路と、前記第１信号伝送手段及び前記画像出力部間を結ぶ信号路と、前記第１信号伝送手段及び前記第２信号伝送手段間を結ぶ信号路と、を相互に切り換え可能なスイッチ部と、前記スイッチ部を制御する制御部と、当該中継装置が前記第１信号伝送手段を介して出力装置と相互に接続された場合に、当該中継装置に係るＣＥＣアドレスである第１ＣＥＣアドレスを取得する取得部と、を備え、前記制御部は、前記出力装置から出力された前記第１ＣＥＣアドレスと再生コマンドとを受信した場合に、前記第１信号伝送手段及び前記記憶装置間を結ぶ信号路を選択するように前記スイッチ部を制御し、前記取得部は、当該中継装置が前記第２信号伝送手段を介して前記他の規格に対応する機器と接続された場合に、前記機器に係るＣＥＣアドレスである第２ＣＥＣアドレスを取得し、前記制御部は、前記機器が映像出力状態になると、前記第１信号伝送手段及び前記第２信号伝送手段間を結ぶ信号路を選択するように前記スイッチ部を制御し、前記機器が待機状態になると、前記第１信号伝送手段及び前記画像出力部間を結ぶ信号路を選択するように前記スイッチ部を制御して、前記機器が待機状態であることを示すアイコンを前記出力装置に出力させ、前記制御部は、前記アイコンが選択された場合に、前記出力装置から前記アイコンが選択されたことを示す信号を受信して、前記第１信号伝送手段及び前記第２信号伝送手段間を結ぶ信号路を選択するように前記スイッチ部を制御する。
【０００７】
本発明の作用及び他の利得は次に説明する実施するための形態から明らかにされる。
【図面の簡単な説明】
【０００８】
【図１】実施例に係るシステムの全体構成を示す概念図である。
【図２】実施例に係る中継装置の要部構成を示すブロック図である。
【図３】実施例に係る中継装置の構成を示すブロック図である。
【図４】実施例に係る中継装置の動作の一例を示す概念図である。
【図５】実施例に係る中継装置の動作の他の一例を示す概念図である。
【図６】実施例に係る中継装置の動作の他の一例を示す概念図である。
【図７】実施例に係る中継装置の動作の他の一例を示す概念図である。
【図８】実施例に係る中継装置の動作の他の一例を示す概念図である。
【発明を実施するための形態】
【０００９】
以下、本発明の中継装置に係る実施形態について説明する。
【００１０】
実施形態に係る中継装置は、ＨＤＭＩ規格に対応する第１信号伝送手段と、前記ＨＤＭＩ規格とは異なる他の規格に対応する第２信号伝送手段と、記憶装置と、を備える中継装置であって、所定の画像を出力可能な画像出力部と、前記第１信号伝送手段及び前記記憶装置間を結ぶ信号路と、前記第１信号伝送手段及び前記画像出力部間を結ぶ信号路と、前記第１信号伝送手段及び前記第２信号伝送手段間を結ぶ信号路と、を相互に切り換え可能なスイッチ部と、前記スイッチ部を制御する制御部と、当該中継装置が前記第１信号伝送手段を介して出力装置と相互に接続された場合に、当該中継装置に係るＣＥＣアドレスである第１ＣＥＣアドレスを取得する取得部と、を備え、前記制御部は、前記出力装置から出力された前記第１ＣＥＣアドレスと再生コマンドとを受信した場合に、前記第１信号伝送手段及び前記記憶装置間を結ぶ信号路を選択するように前記スイッチ部を制御し、前記取得部は、当該中継装置が前記第２信号伝送手段を介して前記他の規格に対応する機器と接続された場合に、前記機器に係るＣＥＣアドレスである第２ＣＥＣアドレスを取得し、前記制御部は、前記機器が映像出力状態になると、前記第１信号伝送手段及び前記第２信号伝送手段間を結ぶ信号路を選択するように前記スイッチ部を制御し、前記機器が待機状態になると、前記第１信号伝送手段及び前記画像出力部間を結ぶ信号路を選択するように前記スイッチ部を制御する。
【００１１】
本実施形態に係る中継装置は、ＨＤＭＩ規格に対応する第１信号伝送手段と、例えばＭＨＬ（Ｍｏｂｉｌｅ  Ｈｉｇｈ−ｄｅｆｉｎｉｔｉｏｎ  Ｌｉｎｋ）規格等である、該ＨＤＭＩ規格とは異なる他の規格に対応する第２信号伝送手段と、を備えている。中継装置は、例えばハードディスクドライブ等である記憶装置も備えている。尚、記憶装置は、中継装置の筐体に内蔵されていてもよいし、該中継装置の筐体の外部に設置されていてもよい。
【００１２】
中継装置は、更に、画像出力部、スイッチ部、制御部及び取得部を備えて構成されている。画像出力部は、例えばメニュー画像等の所定の画像を出力可能に構成されている。スイッチ部は、（ｉ）第１信号伝送手段及び記憶装置間を結ぶ信号路と、（ｉｉ）第１信号伝送手段及び画像出力部間を結ぶ信号路と、（ｉｉｉ）第１信号伝送手段及び第２信号伝送手段間を結ぶ信号路と、を相互に切り換え可能に構成されている。例えばメモリ、プロセッサ等を備えてなる制御部は、スイッチを制御する。
【００１３】
例えばメモリ、プロセッサ等を備えてなる取得部は、当該中継装置が、第１信号伝送手段を介して、例えば液晶ディスプレイ、プロジェクタ等である出力装置と相互に接続された場合に、当該中継装置に係るＣＥＣアドレスである第１ＣＥＣアドレスを取得する。この第１ＣＥＣアドレスが割り振られることにより、出力装置と当該中継装置とが協働することが可能となる。尚、取得部は、典型的には、取得された第１ＣＥＣアドレスを、例えばＲＡＭ等に記憶する。
【００１４】
当該中継装置が出力装置と接続されている場合に、出力装置から出力された第１ＣＥＣアドレスと、当該中継装置に対する再生コマンドとを含む信号が受信された場合、制御部は、第１信号伝送手段及び記憶装置間を結ぶ信号路を選択するようにスイッチ部を制御する。この結果、記憶装置に格納されている、例えば映像コンテンツが再生され、該再生された映像コンテンツに係る映像が出力装置に表示される。
【００１５】
当該中継装置が、第２信号伝送手段を介して、例えば再生装置、携帯電話等である他の規格に対応する機器と接続された場合、取得部は、該機器に係るＣＥＣアドレスである第２ＣＥＣアドレスを取得する。他の規格に対応する（即ち、ＣＥＣ非対応の）機器に第２ＣＥＣアドレスが割り振られることにより、該機器を仮想的なＣＥＣ対応機器として扱うことができる。
【００１６】
当該中継器が他の規格に対応する機器と接続されている場合に、該機器が映像出力状態（起動状態）となると、制御部は、第１信号伝送手段及び第２信号伝送手段間を結ぶ信号路を選択するようにスイッチ部を制御する。他方、当該中継器が他の規格に対応する機器と接続されている場合に、該機器が待機状態となると、制御部は、第１信号伝送手段及び画像出力部間を結ぶ信号路を選択するようにスイッチ部を制御する。
【００１７】
このように、当該中継装置に接続された機器が待機状態となると、制御部により、第１信号伝送手段及び画像出力部間を結ぶ信号路を選択するようにスイッチ部が制御されるので、出力装置には、画像出力部から出力された所定の画像が表示されることとなる。この結果、当該中継装置に接続された機器が待機状態となった場合であっても、無信号状態となることを防止することができる。
【００１８】
実施形態に係る中継装置の一態様では、前記出力装置から出力された前記第２ＣＥＣアドレスとコマンドとが受信された場合に、前記受信されたコマンドが前記他の規格に対応するように前記受信されたコマンドを変換する変換手段を更に備える。
【００１９】
この態様によれば、当該中継装置を介して、出力装置から、他の規格に対応する機器を操作することができ実用上非常に有利である。
【００２０】
実施形態に係る中継装置の他の態様では、前記機器が待機状態であり、且つ、前記出力装置から出力された前記第２ＣＥＣアドレスとコマンドとが受信された場合に、前記機器を起動状態とする起動手段を更に備える。
【００２１】
この態様によれば、当該中継装置を介して、出力装置から、他の規格に対応する機器を起動することができ実用上非常に有利である。
【００２２】
実施形態に係る中継装置の他の態様では、前記スイッチ部により前記第１信号伝送手段及び前記画像出力部間を結ぶ信号路が選択されている場合、前記画像出力部は、前記機器の状態に応じて、前記出力装置の表示部に表示されるアイコンを変更する。
【００２３】
この態様によれば、ユーザが比較的容易にして、他の規格に対応する機器の状態を認識することができ実用上非常に有利である。
【実施例】
【００２４】
本発明の中継装置に係る実施例を、図面に基づいて説明する。【００２５】
本実施例では、図１に示すように、テレビ３０の入力端子（Ｉｎｐｕｔ）には、ＨＤＭＩケーブルを介して中継装置１０が接続されている。中継装置１０の入力端子（Ｉｎｐｕｔ）には、ＭＨＬケーブルを介してスマートフォン４０が接続されている。尚、中継装置１０としては、例えばＭＨＬ入力端子を備えるメディアプレーヤ等を適用可能である。【００２６】
次に、中継装置１０の構成について図２及び図３を参照して説明する。図２は、実施例に係る中継装置の要部構成を示すブロック図である。図３は、実施例に係る中継装置の構成を示すブロック図である。【００２７】
図２において、中継装置１０は、グラフィックエンジン１１、ＡＶデコーダ１２、ＲＡＭ１３、スイッチＳＷａ及びＳＷｂ、ＨＤＭＩ端子並びにＭＨＬ端子を備えて構成されている。ＡＶデコーダ１２は、例えば外付けハードディスクドライブ等である外部記憶装置２０と電気的に接続されている。【００２８】
スイッチＳＷａにおいて端子ａ１が選択されており、スイッチＳＷｂにおいて端子ｂ２が選択されている場合、ＨＤＭＩ端子には、グラフィックエンジン１１から出力された信号が出力される。スイッチＳＷａにおいて端子ａ１が選択されており、スイッチＳＷｂにおいて端子ｂ１が選択されている場合、ＨＤＭＩ端子には、ＡＶデコーダ１２から出力された信号が出力される。スイッチＳＷａにおいて端子ａ２が選択されている場合、ＨＤＭＩ端子には、ＭＨＬ端子を介して入力された信号が出力される。【００２９】
中継装置１０は、図３に示すように、更に、ＨＤＭＩトランスミッタ１４、ＭＨＬレシーバ１５、ＣＰＵ１６等を備えて構成されている。ＨＤＭＩケーブルがＨＤＭＩ端子に差し込まれることにより中継装置１０とテレビ３０とが相互に接続された場合、中継装置１０のＨＤＭＩトランスミッタ１４とテレビ３０のＨＤＭＩレシーバ３１との間で信号が授受される。また、ＭＨＬケーブルがＭＨＬ端子に差し込まれることにより中継装置１０とスマートフォン４０とが相互に接続された場合、中継装置１０のＭＨＬレシーバ１５とスマートフォン４０のＭＨＬトランスミッタ４１との間で信号が授受される。【００３０】
尚、図２における「スイッチＳＷａ」及び「スイッチＳＷｂ」は、夫々、図３における「ＴＭＤＣスイッチ」及び「ＴＭＤＣ変換部」に対応している。また、スイッチＳＷａ及びＳＷｂ各々は、ＣＰＵ１６により制御される。【００３１】
本実施例に係る「外部記憶装置２０」、「テレビ３０」、「スマートフォン４０」、「グラフィックエンジン１１」、「ＨＤＭＩトランスミッタ１４」、「ＭＨＬレシーバ１５」及び「ＣＰＵ１６」は、夫々、本発明に係る「記憶装置」、「出力装置」、「他の規格に対応する機器」、「画像出力部」、「第１信号伝送手段」、「第２信号伝送手段」及び「制御部」の一例である。本実施例に係る「スイッチＳＷａ及びＳＷｂ」は、本発明に係る「スイッチ部」の一例である。【００３２】
次に、以上のように構成された中継装置１０の動作について、図４乃至図８を参照して説明する。【００３３】
（ｉ）中継装置１０が、ＨＤＭＩケーブルを介してテレビ３０に接続された場合、本発明に係る「取得部」の一例としての、ＣＰＵ１６は、当該中継機器１０に係るＣＥＣアドレスであるＣＥＣアドレス（ａ）を取得し、例えばＲＡＭ１３に格納する（図４参照）。尚、ＣＥＣアドレスの割当方法については公知の各種態様を適用可能であるので、その詳細についての説明は割愛する。【００３４】
この場合、ＣＰＵ１６は、スイッチＳＷａにおいて端子ａ１が選択され、スイッチＳＷｂにおいて端子ｂ２が選択されるように、スイッチＳＷａ及びＳＷｂを夫々制御する（図４参照）。この結果、グラフィックエンジン１１から出力された信号（典型的には、静止画像に係る信号）が、ＴＭＤＳ変換部（図３参照）においてＴＭＤＳ信号に変換される。該変換されたＴＭＤＳ信号は、ＴＭＤＳスイッチ及びＨＤＭＩトランスミッタ１４（図３参照）を介して、テレビ３０に出力される。【００３５】
この際、テレビ３０の画面上には、中継装置１０を示すアイコンが表示される（図４参照）ので、ユーザは中継装置１０を利用可能であることを認識することができる。【００３６】
（ｉｉ）ユーザが、例えばテレビ３０に対応するリモートコントローラを操作することによって、外部記憶装置２０に格納されている映像コンテンツの再生を指示した場合、テレビ３０は、中継装置１０に対して、ＣＥＣアドレス（ａ）及びコマンド（ここでは、“再生”）を含むＣＥＣパケットを送信する。該ＣＥＣパケットを受信した中継装置１０において、ＣＰＵ１６は、スイッチＳＷａにおいて端子ａ１が選択され、スイッチＳＷｂにおいて端子ｂ１が選択されるように、スイッチＳＷａ及びＳＷｂを夫々制御する（図５参照）。【００３７】
この結果、外部記憶装置２０から出力されるコンテンツデータがＡＶデコーダ１２において映像信号及び音声信号に復号され、該復号された映像信号及び音声信号がＴＭＤＳ変換部（図３参照）においてにおいてＴＭＤＳ信号に変換される。該変換されたＴＭＤＳ信号は、ＴＭＤＳスイッチ及びＨＤＭＩトランスミッタ１４（図３参照）を介して、テレビ３０に出力される。【００３８】
この際、中継装置１０は、テレビ３０に対して、当該中継装置１０に係るＣＥＣアドレス（即ち、ＣＥＣアドレス（ａ））を含む“Ａｃｔｉｖｅ  Ｓｏｕｒｃｅ”を発行する。【００３９】
（ｉｉｉ）中継装置１０が、ＭＨＬケーブルを介してスマートフォン４０に接続された場合、ＣＰＵ１６は、スマートフォン４０に係るＣＥＣアドレスであるＣＥＣアドレス（ｂ）を取得し、例えばＲＡＭ１３に格納する（図６参照）。【００４０】
図６では、スマートフォン４０がスリープ状態（即ち、待機状態）であるので、ＣＰＵ１６は、スイッチＳＷａにおいて端子ａ１が選択され、スイッチＳＷｂにおいて端子ｂ２が選択されるように、スイッチＳＷａ及びＳＷｂを夫々制御する（図６参照）。この際、テレビ３０の画面上には、スマートフォン４０を示すアイコンが表示される（図６参照）。【００４１】
尚、スマートフォン４０が起動状態であった場合、該スマートフォン４０がＭＨＬケーブルを介して中継装置１０に接続された際に、ＣＰＵ１６は、スイッチＳＷａにおいて端子ａ２が選択されるようにスイッチＳＷａを制御してよい。また、スマートフォン４０を示すアイコンは、スマートフォン４０の状態に応じて、その態様が変更されてもよい。【００４２】
（ｉｖ）ユーザがスマートフォン４０を直接操作することによって、スリープ状態であったスマートフォン４０が起動状態とされた場合、ＣＰＵ１６は、スイッチＳＷａにおいて端子ａ２が選択されるようにスイッチＳＷａを制御する（図７参照）。【００４３】
この結果、スマートフォン４０のＴＭＤＳトランスミッタ（図３“ＭＨＬトランスミッタ４１”内参照）から出力されたＴＭＤＳ信号が、中継装置１０のＴＭＤＳレシーバ（図３“ＭＨＬレシーバ１５”内参照）、ＴＭＤＳスイッチ、及びＴＭＤＳトランスミッタ（図３“ＨＤＭＩトランスミッタ１４”内参照）を介して、テレビ３０に出力される。【００４４】
この際、中継装置１０は、テレビ３０に対して、スマートフォン４０に係るＣＥＣアドレス（即ち、ＣＥＣアドレス（ｂ））を含む“Ａｃｔｉｖｅ  Ｓｏｕｒｃｅ”を発行する。テレビ３０の画面上には、例えばスマートフォン４０の画面上に表示されている画像と同様の画像が表示される（図７参照）。【００４５】
尚、ユーザが、例えばテレビ３０に対応するリモートコントローラを操作することによって、スリープ状態であるスマートフォン４０を起動状態とする場合、ユーザは、例えばテレビ３０の画面上に表示されたスマートフォン４０を示すアイコンを選択する。この際、スマートフォン４０を示すアイコンが選択されたことを示す信号が、中継装置１０に対して送信される。スマートフォン４０を示すアイコンが選択されたことを示す信号が受信されたことを条件に、ＣＰＵ１６は、スイッチＳＷａにおいて端子ａ２が選択されるようにスイッチＳＷａを制御する。加えて、中継装置１０からスマートフォン４０に対してＴＭＤＳ信号を要求する信号が送信される。スマートフォン４０は、該ＴＭＤＳ信号を要求する信号を受信したことを条件に起動状態となる。【００４６】
（ｖ）ユーザが、例えばテレビ３０に対応するリモートコントローラを操作することによって、起動状態であるスマートフォン４０を操作する場合、テレビ３０は、中継装置１０に対して、ＣＥＣアドレス（ｂ）、及びユーザが所望する操作に対応するコマンドを含むＣＥＣパケットを送信する。中継装置１０では、受信したＣＥＣパケットに含まれるコマンド（ＣＥＣコマンド）が、例えばＣＰＵ１６、ＣＥＣ制御部、ＣＥＣ−ＭＳＣ変換部、ＭＳＣ制御部等（図３参照）によりＭＳＣコマンドに変換される。該変換されたＭＳＣコマンドは、ＭＳＣ  Ｉ／Ｆ（図３“ＭＨＬレシーバ１５”内参照）を経由して、スマートフォン４０に送信される。スマートフォン４０は、受信したＭＳＣコマンドに応じた動作を行う。【００４７】
このように、本実施例では、中継装置１０において、ＣＥＣコマンドがＭＳＣコマンドに変換されるので、ＨＤＭＩ規格に対応していない機器でも、ＣＥＣ対応機器として扱うことができる。【００４８】
（ｖｉ）スマートフォン４０が、例えばタイマ機能等により、起動状態からスリープ状態へ移行した場合、該スマートフォン４０は、中継装置１０に対して、ＴＭＤＳ信号停止を示す信号を送信する。ＣＰＵ１６は、ＴＭＤＳ信号停止を示す信号を受信したことを条件に、スイッチＳＷａにおいて端子ａ１が選択されるようにスイッチＳＷａを制御する。（図８参照）
この際、中継装置１０は、テレビ３０に対して、当該中継装置１０に係るＣＥＣアドレス（即ち、ＣＥＣアドレス（ａ））を含む“Ａｃｔｉｖｅ  Ｓｏｕｒｃｅ”を発行する。テレビ３０の画面上には、スマートフォン４０がスリープ状態であることを示すアイコンが示されてよい。【００４９】
このように、本実施例では、中継装置１０に接続されたスマートフォン４０がスリープ状態となった場合であっても、無信号状態となることを防止することができる。【００５０】
本発明は、上述した実施形態に限られるものではなく、請求の範囲及び明細書全体から読み取れる発明の要旨或いは思想に反しない範囲で適宜変更可能であり、そのような変更を伴う中継装置もまた本発明の技術的範囲に含まれるものである。
【符号の説明】
【００５１】
１０…中継装置、１１…グラフィックエンジン、１２…ＡＶデコーダ、１３…ＲＡＭ、１４…ＨＤＭＩトランスミッタ、１５…ＭＨＬレシーバ、１６…ＣＰＵ、２０…外部記憶装置、３０…テレビ、３１…ＨＤＭＩレシーバ、４０…スマートフォン、４１…ＭＨＬトランスミッタ、ＳＷａ、ＳＷｂ…スイッチ
【図１】
0005936685.tif 000002
【図２】
0005936685.tif 000003
【図３】
0005936685.tif 000004
【図４】
0005936685.tif 000005
【図５】
0005936685.tif 000006
【図６】
0005936685.tif 000007
【図７】
0005936685.tif 000008
【図８】
0005936685.tif 000009